(57)【要約】【課題】  使用済み印刷用紙が格納された給紙トレイから確実に印刷用紙を給紙することができる【解決手段】  パーソナルコンピュータ１と、プリンタ装置９と、アプリケーションソフトからの印刷要求をプリンタ装置が解釈可能なプリンタ言語に変換する言語変換手段５、及び、前記アプリケーションソフトからの印刷要求情報で指定される情報に基づいてプリンタ装置の設定を行う印刷条件設定手段４１と、前記上位装置に搭載したユーザ情報を管理するユーザ管理手段４３と、前記ユーザ管理手段からのユーザ情報を得てあらかじめ設定したユーザ毎に定められた給紙トレイから強制的に給紙を行いうる給紙指定手段４２とを備え、ユーザごとに使用する給紙トレイを指定でき、また、使用済み用紙の片面印刷を行うとき裏面に「使用済み」記号の印刷を行うようにした。【選択図】  図１
2006044028.tif 000002
【特許請求の範囲】
【請求項１】
上位装置に搭載したアプリケーションソフトからの印刷要求をプリンタ装置が解釈可能なプリンタ言語に変換する言語変換手段と、前記アプリケーションソフトからの印刷要求に含まれる印刷条件指定に基づいてプリンタ装置の印刷設定を行う印刷条件設定手段と、前記アプリケーションソフトからの印刷要求にかかわらず、予め設定された給紙トレイから給紙を行い得る給紙指定手段を備えたことを特徴とするプリンタ制御装置。
【請求項２】
上位装置に搭載したアプリケーションソフトからの印刷要求をプリンタ装置が解釈可能なプリンタ言語に変換する言語変換手段と、前記アプリケーションソフトからの印刷要求に含まれる印刷条件指定に基づいてプリンタ装置の印刷設定を行う印刷条件設定手段と、前記上位装置に搭載したユーザ情報を管理するユーザ管理手段と、前記ユーザ管理手段からのユーザ情報を得てあらかじめ設定したユーザ毎に定められた給紙トレイから強制的に給紙を行いうる給紙指定手段とを備えたことを特徴とするプリンタ制御装置。
【請求項３】
上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定と、上位装置に搭載したアプリケーションソフトから印刷要求を実行する際、その印刷ジョブの印刷設定が片面印刷か両面印刷かを判定する印刷面判定手段と、判定結果により給紙を行う給紙トレイ切り替える給紙切替手段とを備えたことを特徴とするプリンタ制御装置。
【請求項４】
前記印刷面判定手段が片面印刷と判定した場合であって、片面印刷済み用紙の非印刷面に印刷要求があったとき、プリンタ装置に備えられ印刷用紙の両面に印刷を行う両面印刷装置に用紙の既印刷画面に当該面が既印刷面であることを示す記号を新たに印刷させる記号印刷制御手段を備えたことを特徴とする請求項３のプリンタ制御装置。
【請求項５】
アプリケーションソフトを備えた上位装置と、該上位装置からの印刷指令により用紙に画像を印刷するプリンタ装置と、前記上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定手段と、前記アプリケーションソフトからの設定にかかわらず、予め設定された給紙トレイから給紙を行い得る給紙指定手段を備えたことを特徴とするプリンタ制御システム。
【請求項６】
アプリケーションソフトを備えた上位装置と、該上位装置からの印刷指令により用紙に画像を印刷するプリンタ装置と、前記上位装置に搭載したアプリケーションソフトからの印刷要求をプリンタ装置が解釈可能なプリンタ言語に変換する言語変換手段、及び、前記アプリケーションソフトからの印刷要求情報で指定される情報に基づいてプリンタ装置の設定を行う印刷条件設定手段と、前記上位装置に搭載したユーザ情報を管理するユーザ管理手段と、前記ユーザ管理手段からのユーザ情報を得てあらかじめ設定したユーザ毎に定められた給紙トレイから強制的に給紙を行いうる給紙指定手段とを備えたことを特徴とするプリンタ制御システム。
【請求項７】
アプリケーションソフトを備えた上位装置と、該上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定と、上位装置に搭載したアプリケーションソフトから印刷要求を実行する際、その印刷ジョブの印刷設定が片面印刷か両面印刷かを判定する印刷面判定手段と、判定結果により給紙を行う給紙トレイ切り替える給紙切替手段とを備えたことを特徴とするプリンタ制御システム。
【請求項８】
プリンタ装置は印刷用紙の両面に印刷を行う両面印刷手段を備え、前記印刷面判定手段が片面印刷と判定した場合であって、片面印刷済み用紙の非印刷面に印刷要求があったとき、既印刷画面に該面が既印刷面であることを示す記号を新たに印刷する記号印刷制御制御手段を備えたことを特徴とする請求項７のプリンタ制御システム。
【請求項９】
上位装置に搭載したアプリケーションソフトからの印刷要求をプリンタ装置が解釈可能なプリンタ言語に変換する言語変換処理と、前記アプリケーションソフトからの印刷要求に含まれる印刷条件指定に基づいてプリンタ装置の印刷設定を行う印刷条件設処理と、前記アプリケーションソフトからの印刷要求にかかわらず、予め設定された給紙トレイから給紙を行い得る給紙指定処理と行うことを特徴とするプリンタ制御方法。
【請求項１０】
上位装置に搭載したアプリケーションソフトからの印刷要求をプリンタ装置が解釈可能なプリンタ言語に変換する言語変換処理と、前記アプリケーションソフトからの印刷要求に含まれる印刷条件指定に基づいてプリンタ装置の印刷設定を行う印刷条件設定処理と、前記上位装置に搭載したユーザ情報を管理するユーザ管理処理と、前記ユーザ管理手段からのユーザ情報を得てあらかじめ設定したユーザ毎に定められた給紙トレイから強制的に給紙を行いうる給紙指定処理とを行うことを特徴とするプリンタ制御方法。
【請求項１１】
上位装置に搭載したアプリケーションソフトからの印刷要求をプリンタ装置が解釈可能なプリンタ言語に変換する言語変換処理と、前記アプリケーションソフトからの印刷要求情報で指定される情報に基づいてプリンタ装置の設定を行う印刷条件処理と、上位装置に搭載したアプリケーションソフトから印刷要求を実行する際、その印刷ジョブの印刷設定が片面印刷か両面印刷かを判定する印刷面判定処理と、判定結果により給紙を行う給紙トレイ切り替える給紙切替処理とを行うことを特徴とするプリンタ制御方法。
【請求項１２】
前記印刷面判定処理で片面印刷と判定した場合であって、片面印刷済み用紙の非印刷面に印刷要求があったとき、プリンタ装置に備えられ印刷用紙の両面に印刷を行う両面印刷装置に用紙の既印刷画面に当該面が既印刷面であることを示す記号を新たに印刷させる記号印刷制御処理を行うことを特徴とする請求項１１のプリンタ制御方法。
【請求項１３】
請求項９ないし１２の制御方法を実行するためのプログラムを格納したことを特徴とする記録媒体。
【発明の詳細な説明】
【技術分野】
【０００１】
本発明は、本発明はプリンタ制御装置、プリンタ制御システム、プリンタ制御方法及び該方法を実行するためのプログラムを格納した記録媒体に関し、特にアプリケーションソフトを搭載した上位装置に接続されたプリンタ装置を制御するプリンタ制御装置、プリンタ制御システム、プリンタ制御方法及び該方法を実行するためのプログラムを格納した記録媒体に関する。
【背景技術】
【０００２】
上位装置例えばパーソナルコンピュータ（ＰＣ）やワークステーションで印刷を行うとき、印刷設定をおこなっているにもかかわらずアプリケーションソフトの仕様などで、意図しないトレイから給紙されてしまうことがある。特定のトレイから給紙される動作仕様をもつアプリケーションソフトにおいても、アプリケーションソフトやＯＳなどの内外の要因により、たとえば用紙の入っていない手差しトレイから給紙されて用紙がないため印字が停止してしまうというトラブルが発生することがある。
【０００３】
また、プリンタはＯＡ機器として登場以来オフィスの紙出力業務において必要不可欠な機器であり、大量の印刷がおこなわれ、その結果、使用済み用紙が氾濫し、森林資源の消費、環境問題にまで発展している。
【０００４】
なお、このような用紙の無駄遣いを防止するプリンタ制御方法として以下のものがある。特許文献１に記載のものは、印刷設定内に優先度付けを行い、時には設定を優先し、時には元々の設定（ＤＥＶＭＯＤＥ情報）を優先することで更に有益なものになると共に、設定ファイル自体の編集・削除機能も加えることでプリンタドライバでの設定ファイルを完全に管理することが可能とするため、指定される印刷の設定に優先度を付加し、設定の優先度により設定決定し、あるいは印刷設定を強制設定して印刷を行うものである。
【０００５】
また、特許文献２のものは、表面、裏面の区別、または裏面印刷の隠蔽を容易に行うようにするため、操作パネルルの裏紙設定キーの押下、または給紙カセットの爪を検知したカセットスイッチからの検知信号、またはＣＣＤセンサによる検知信号による判定により、裏紙使用が設定された場合、ＣＰＵは、通常の画像形成を行って後の用紙を反転給紙部を用いて反転し、ＬＥＤ制御回路を介してＬＥＤアレイの点灯を制御して裏面にパターン画像を形成するものである。
【０００６】
【特許文献１】特開２００３−０５８３３２号公報
【特許文献２】特開平０７−１９９７３８号公報
【発明の開示】
【発明が解決しようとする課題】
【０００７】
しかしながら、印刷時において使用済み用紙を用いて印刷を行う必要がある場合であっても、上述したアプリケーションソフトの指定や使用済み用紙が格納された給紙トレイを的確に指定することができず、未使用の用紙に印刷を行ってしまうことがある。
【０００８】
そこで、本発明は、使用済み印刷用紙が格納された給紙トレイから確実に印刷用紙を給紙することができるプリンタ制御装置、プリンタ制御システム、プリンタ制御方法及び該方法を実行するためのプログラムを格納した記録媒体を提供することを目的とする。
【課題を解決するための手段】
【０００９】
請求項１の発明は、上位装置に搭載したアプリケーションソフトからの印刷要求をプリンタ装置が解釈可能なプリンタ言語に変換する言語変換手段と、前記アプリケーションソフトからの印刷要求に含まれる印刷条件指定に基づいてプリンタ装置の印刷設定を行う印刷条件設定手段と、前記アプリケーションソフトからの印刷要求にかかわらず、予め設定された給紙トレイから給紙を行い得る給紙指定手段を備えたことを特徴とするプリンタ制御装置である。
【００１０】
請求項２の発明は、上位装置に搭載したアプリケーションソフトからの印刷要求をプリンタ装置が解釈可能なプリンタ言語に変換する言語変換手段と、前記アプリケーションソフトからの印刷要求に含まれる印刷条件指定に基づいてプリンタ装置の印刷設定を行う印刷条件設定手段と、前記上位装置に搭載したユーザ情報を管理するユーザ管理手段と、前記ユーザ管理手段からのユーザ情報を得てあらかじめ設定したユーザ毎に定められた給紙トレイから強制的に給紙を行いうる給紙指定手段とを備えたことを特徴とするプリンタ制御装置である。
【００１１】
請求項３の発明は、上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定と、上位装置に搭載したアプリケーションソフトから印刷要求を実行する際、その印刷ジョブの印刷設定が片面印刷か両面印刷かを判定する印刷面判定手段と、判定結果により給紙を行う給紙トレイ切り替える給紙切替手段とを備えたことを特徴とするプリンタ制御装置である。
【００１２】
請求項４の発明は、請求項３のプリンタ制御装置において、前記印刷面判定手段が片面印刷と判定した場合であって、片面印刷済み用紙の非印刷面に印刷要求があったとき、プリンタ装置に備えられ印刷用紙の両面に印刷を行う両面印刷装置に用紙の既印刷画面に当該面が既印刷面であることを示す記号を新たに印刷させる記号印刷制御手段を備えたことを特徴とするであることを特徴とする。
【００１３】
請求項５の発明は、アプリケーションソフトを備えた上位装置と、該上位装置からの印刷指令により用紙に画像を印刷するプリンタ装置と、前記上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定手段と、前記アプリケーションソフトからの設定にかかわらず、予め設定された給紙トレイから給紙を行い得る給紙指定手段を備えたことを特徴とするプリンタ制御システムである。
【００１４】
請求項６の発明は、アプリケーションソフトを備えた上位装置と、該上位装置からの印刷指令により用紙に画像を印刷するプリンタ装置と、前記上位装置に搭載したアプリケーションソフトからの印刷要求をプリンタ装置が解釈可能なプリンタ言語に変換する言語変換手段、及び、前記アプリケーションソフトからの印刷要求情報で指定される情報に基づいてプリンタ装置の設定を行う印刷条件設定手段と、前記上位装置に搭載したユーザ情報を管理するユーザ管理手段と、前記ユーザ管理手段からのユーザ情報を得てあらかじめ設定したユーザ毎に定められた給紙トレイから強制的に給紙を行いうる給紙指定手段とを備えたことを特徴とするプリンタ制御システムである。
【００１５】
請求項７の発明は、アプリケーションソフトを備えた上位装置と、該上位装置に搭載したアプリケーションソフトからの印刷要求をプリンタ装置が解釈可能なプリンタ言語に変換する言語変換手段と、前記アプリケーションソフトからの印刷要求情報で指定される情報に基づいてプリンタ装置の設定を行う印刷条件設定と、上位装置に搭載したアプリケーションソフトから印刷要求を実行する際、その印刷ジョブの印刷設定が片面印刷か両面印刷かを判定する印刷面判定手段と、判定結果により給紙を行う給紙トレイ切り替える給紙切替手段とを備えたことを特徴とするプリンタ制御システムである。
【００１６】
請求項８の発明は、請求項７のプリンタ制御システムにおいて、プリンタ装置は印刷用紙の両面に印刷を行う両面印刷手段を備え、前記印刷面判定手段が片面印刷と判定した場合であって、片面印刷済み用紙の非印刷面に印刷要求があったとき、既印刷画面に該面が既印刷面であることを示す記号を新たに印刷する記号印刷制御制御手段を備えたことを特徴とする。
【００１７】
請求項９の発明は、上位装置に搭載したアプリケーションソフトからの印刷要求をプリンタ装置が解釈可能なプリンタ言語に変換する言語変換処理と、前記アプリケーションソフトからの印刷要求に含まれる印刷条件指定に基づいてプリンタ装置の印刷設定を行う印刷条件設処理と、前記アプリケーションソフトからの印刷要求にかかわらず、予め設定された給紙トレイから給紙を行い得る給紙指定処理と行うことを特徴とするプリンタ制御方法である。
【００１８】
請求項１０の発明は、上位装置に搭載したアプリケーションソフトからの印刷要求をプリンタ装置が解釈可能なプリンタ言語に変換する言語変換処理と、前記アプリケーションソフトからの印刷要求に含まれる印刷条件指定に基づいてプリンタ装置の印刷設定を行う印刷条件設定処理と、前記上位装置に搭載したユーザ情報を管理するユーザ管理処理と、前記ユーザ管理手段からのユーザ情報を得てあらかじめ設定したユーザ毎に定められた給紙トレイから強制的に給紙を行いうる給紙指定処理とを行うことを特徴とするプリンタ制御方法である。
【００１９】
請求項１１の発明は、上位装置に搭載したアプリケーションソフトからの印刷要求をプリンタ装置が解釈可能なプリンタ言語に変換する言語変換処理と、前記アプリケーションソフトからの印刷要求情報で指定される情報に基づいてプリンタ装置の設定を行う印刷条件処理と、上位装置に搭載したアプリケーションソフトから印刷要求を実行する際、その印刷ジョブの印刷設定が片面印刷か両面印刷かを判定する印刷面判定処理と、判定結果により給紙を行う給紙トレイ切り替える給紙切替処理とを行うことを特徴とするプリンタ制御方法である。
【００２０】
請求項１２の発明は、請求項１１のプリンタ制御方法において、前記印刷面判定処理で片面印刷と判定した場合であって、片面印刷済み用紙の非印刷面に印刷要求があったとき、プリンタ装置に備えられ印刷用紙の両面に印刷を行う両面印刷装置に用紙の既印刷画面に当該面が既印刷面であることを示す記号を新たに印刷させる記号印刷制御処理を行うことを特徴とする。
【００２１】
請求項１３の発明は、請求項９ないし１２の制御方法を実行するためのプログラムを格納したことを特徴とする記録媒体である。
【発明の効果】
【００２２】
本発明によれば、使用済み用紙を有効に使用することができ、用紙の無駄遣いを軽減しすることができるという効果がある。
【発明を実施するための最良の形態】
【００２３】
以下本発明を実施するための最良の形態としての実施例を図面に基づいて説明する。
【実施例】
【００２４】
図１は実施例に係るプリンタ制御システムを示すブロック図、図２は図１に示したプリンタ制御システムを示す機能ブロック図、図３は実施例に係るプリンタ制御システムの作動を示すフローチャート、図４ないし６は実施例に係るプリンタ制御システムの表示画像を示す図、図７および８は実施例に係るプリンタ制御システムで印刷された用紙の既印刷側面の状態を示す図である。
【００２５】
本例ではプリンタ制御システム１００は、ＯＳモジュール３とアプリケーションソフトを含むアプリケーションモジュール２と備えるパーソナルコンピュータ１と、パーソナルコンピュータ１からの印刷指令に基づいて印刷用紙に画像を印刷するプリンタ装置９と、パーソナルコンピュータ１とプリンタ装置９との間に配置され、パーソナルコンピュータ１の信号をプリンタ装置９で解読可能な信号に変換するプリンタ制御手段としてのプリンタドライバ４とを備える。
【００２６】
上記パーソナルコンピュータ１を含む上位装置は、パーソナルコンピュータに限らず、ワークステーションその他プリンタ装置を使用する装置であればよい。また、プリンタドライバ４は、上位装置に内蔵されていてもよいし、プリンタサーバ、プリンタに内蔵されていてもよい。さらに、プリンタはネットワークに接続され、複数の上位装置に接続されていてもよい。
【００２７】
本例では、上記プリンタ装置９は両面印刷手段９１と複数の給紙トレイ９３〜９５を備える。各給紙トレイ９３〜９５には、異なる大きさの用紙を格納する他、１つの給紙トレイ（例えば給紙トレイ９３）には片面印刷済み用紙を格納しておくことができる。また、プリンタ装置９は、前記両面印刷手段９１に前記給紙トレイ９３〜９５のうち選択されたものから用紙を選択して供給する用紙選択手段９２を備える。この用紙選択手段９２の用紙の選択は、前記プリンタドライバ４の指令による。プリンタ装置９は形式を問わず電子写真式、インクジェット式、ジェル式等を含む。また、両面印刷手段は、同時に両面を印刷するもの、用紙反転手段を備え片面ずつ分けて片面ずつを印刷するもののどちらでもよい。
【００２８】
そして本例では、上記プリンタドライバ４は、アプリケーションモジュール２の指令によって起動しパーソナルコンピュータ１のディスプレイ上にユーザインタフェース画面である印刷ダイアログを表示してユーザに各種印刷設定を指定させるＵＩ処理モジュールであるＵＩドライバ５と、パーソナルコンピュータ１からのコマンドに基づいてプリンタが解釈できるコマンド群である印刷データを生成する言語変換手段であるグラフィックドライバ６と、諸印刷設定を実施する印刷設定実施モジュール７とを備える。
【００２９】
また、本例では、図２に示すようにプリンタドライバ４には、印刷データをプリンタに送る為のセントロニクス、ＵＳＢ、ネットワークなどの出力ポート８が接続され、プリンタドライバ４から出力された印字データを一時蓄留しておくスープリングモジュール１０を備えている。
【００３０】
また、本例では、図１に示すように、プリンタドライバ４は、印刷条件設定手段４１と、給紙指定手段４２と、ユーザ管理手段４３と、裏面側印刷データを格納した裏面側印刷データ格納手段４４とを備えている。前記印刷条件設定手段４１は、予め管理者が定めた条件に従ってプリンタ装置９が用紙選択手段９２が選択する給紙トレイを指定できる。
【００３１】
前記給紙指定手段４２は、前記アプリケーションモジュール２からの印刷要求の内容にかかわらず、予め設定条件に基づいて、指定された給紙トレイから給紙を行い得る。本例では、印刷済み用紙を格納した給紙トレイ９３を指定することができる。この指定は、任意であり上位装置あるいは、手動で変更できる。また、ユーザ管理手段４３は上位装置から出力されるユーザ管理データを受けあらかじめ定められた条件により、ユーザ毎の印刷設定を行い、給紙指定手段４２に給紙指定を行わせる。
【００３２】
本例では、印刷条件設定手段４１は、下記のａないしｃの印刷設定を含む設定を行うことができるものとする。
ａ．ユーザに拘わらずにより強制的に給紙トレイを設定する。
ｂ．ユーザにより使用する給紙トレイを指定する。
ｃ．片面印刷の場合、使用済み用紙が格納された給紙トレイを指定し、印刷済み面（裏面）に当該面が既印刷面であることを示す記号を印刷紙、印刷すべき画像を印刷する。両面印刷である場合には、両面印刷ができる用紙が格納された給紙トレイを指定し、両面印刷を行う。
【００３３】
このａ〜ｃの指定は、管理者によりプリンタドライバ４の設定を変えることにより、適宜適用できるものとしている。また、ユーザによって設定の変更を行えるように設定することもできる。
【００３４】
これにより、図４ないし図６に示す給紙ダイアログ１１０，１２０，１３０が表示される。図４に示す給紙ダイアログ１１０は、上記ａを設定する画面であり、印刷時に強制的に指定されるトレイを選択することができる。また、図５に示す給紙ダイアログ１２０は上記ｂを設定する画面であり、ユーザごとに使用することができる給紙トレイを指定する事ができる。さらに図６に示す給紙ダイアログ１３０は、上記ｃを設定する画面であり、両面印刷時、片面印刷時に優先的に指定される給紙トレイを指定することができる。
【００３５】
次に本例に係るプリンタ制御システムの作動を図３ないし図８に基づいて説明する。まず、文書アプリケーションから印刷設定がされると（Ｓ１）、給紙ダイアログが表示される（Ｓ２）。この状態で、ＵＩドライバ５で上記ａないしｃの印刷の設定処理がすでに行われており、この処理により、ＯＳモジュール３を経由して、プリンタドライバ４でプリンタ装置９で印字するためデータ変換が行われる。
【００３６】
プリンタドライバ４におけるデータ変換の際、ＵＩドライバ５では、印刷時、アプリケーションソフトから起動あるいは、ＯＳモジュール介在のもとＯＳのデフォルトの印刷設定を行うものとしてアプリケーションソフトに関与せず起動することができる。
【００３７】
印刷におけるデータ変換および個々の印刷設定処理は、グラフィックドライバ６および、印刷設定実施モジュール７で行われる。グラフィックドライバ６及び印刷設定実施モジュール７の処理が済んだデータはプリンタ装置９で印字可能なデータに変換されている。
【００３８】
そして、このデータはプリンタドライバ４では最終段にあるスープリングモジュール１０に一時的に蓄留されその後、出力ポート８を経由してプリンタ装置９に送出される。尚、一般的名処理では、下記の印刷動作は、ＵＩドライバ５、グラフィックドライバ６、印刷設定実施モジュール７で実行されるが、本発明は特に実施部位を限定するものではない。
【００３９】
次に設定の変更がなければ、上記状態を保持しつつ実際の文書アプリケーションから印刷が実行される（Ｓ４、Ｓ５、Ｓ６）。
設定がａ（一律にトレイを指定）とされているとき、パーソナルコンピュータ１において、文書アプリケーションソフト２などから文書を印刷する際には、給紙指定手段４２は用紙選択手段９２を作動して、予め定められたトレイを指定して（Ｓ７）、このトレイから給紙が行われ、印刷処理が実行される。
【００４０】
この場合、アプリケーションソフトから印刷設定でトレイを指定したとき、あるいはアプリケーションソフトのもつ文書に印刷設定が含まれ特に印刷設定をしないとき、この印刷処理においては、強制給紙トレイが指定された印刷がおこなわれているわけではないが、本発明においてトレイを強制的に変更される処理が実行されることになる。
【００４１】
設定がｂ（ユーザごとにトレイを指定）とされているときには、パーソナルコンピュータ１から文書を印刷する際には、印刷設定においてあらかじめ、ＰＣユーザごとに給紙を行うトレイが指定されている。印刷時にはプリンタドライバ４のユーザ管理手段４３はユーザを確認した後、そのユーザ名に対応する給紙トレイの番号を獲得し（Ｓ９）、給紙指定手段４２は用紙選択手段９２を作動して、予め定められたトレイを指定して（Ｓ１０）、このトレイから給紙が行われ、印刷処理が実行される。
【００４２】
設定がｃ（片面印刷、両面印刷の自動選択）とされている場合、パーソナルコンピュータ１上において、文書アプリケーションソフトなどから文書を印刷する際に、まず片面印刷か両面印刷から判断される（Ｓ１１）。印刷が片面である場合には、給紙指定手段４２は片面印刷に対応するトレイ、即ち印刷済み用紙が格納された給紙トレイの番号を取得して指定する（Ｓ１２）。給紙指定手段４２は用紙選択手段９２を作動して、予め定められたトレイを指定して（Ｓ１３）、このトレイから給紙が行われ、裏面（既印刷面）に「使用済み」を表示する記号を印刷するかを判断し（Ｓ１４，Ｓ１５）必要があれば「印刷済み」記号を印刷すると共に、表面（非印刷面）に所定の印刷処理を行う。一方、片面印刷であっても「印刷済み」記号を表示しない場合、例えば新規用紙に片面印刷を行う場合には、通常の片面印刷処理が行われる。
【００４３】
ここで、上記使用済みを表示する記号としては、図７に示すように用紙１４０に大きく「使用済み」（符号１４１）を印刷したり、図８に示すように用紙１５０に大きく×印（符号１５１を印刷したりする。この裏面に印刷する記号等はその内容を予め定め、裏面側印刷データ格納手段４４に格納しておく。
【００４４】
一方、両面印刷を行う場合には、給紙指定手段４２は両面印刷に対応するトレイ、即ち新たな用紙が格納された給紙トレイの番号を取得して指定する（Ｓ１６）。このとき給紙指定手段４２はあらかじめ、どのトレイが片面印刷時（非両面印刷時）に使用するか、をあらかじめの設定あるいは、機器本体上での設定を双方向通信情報などから得ることで得てている。そして、給紙指定手段４２は用紙選択手段９２を作動して、予め定められたトレイを指定して（Ｓ１７）、このトレイから給紙が行われ、用紙の両面に所定の印刷処理を行う。なお、給紙指定手段４２はあらかじめ各トレイにセットされている用紙のサイズを認識しており、トレイを決定するさいこの情報を参照することはいうまでもない。
【図面の簡単な説明】
【００４５】
【図１】実施例に係るプリンタ制御システムを示すブロック図である。
【図２】図１に示したプリンタ制御システムを示す機能ブロック図である。
【図３】図１に示したプリンタ制御システムの作動を示すフローチャートである。
【図４】図１に示したプリンタ制御システムの表示画像を示す図である。
【図５】図１に示したプリンタ制御システムの表示画像を示す図である
【図６】図１に示したプリンタ制御システムの表示画像を示す図である
【図７】図１に示したプリンタ制御システムにより印刷された用紙の既印刷側面の状態を示す図である。
【図８】図１に示したプリンタ制御システムにより印刷された用紙の既印刷側面の状態を示す図である。
【符号の説明】
【００４６】
１  パーソナルコンピュータ
２  アプリケーションモジュール
２  文書アプリケーションソフト
３  ＯＳモジュール
４  プリンタドライバ
５  ＵＩドライバ
６  グラフィックドライバ
７  印刷設定実施モジュール
８  出力ポート
９  プリンタ装置
１０  スープリングモジュール
４１  印刷条件設定手段
４２  給紙指定手段
４３  ユーザ管理手段
４４  裏面側印刷データ格納手段
９１  両面印刷手段
９２  用紙選択手段
９３〜９５  給紙トレイ
１００  プリンタ制御システム
１１０，１２０，１３０  給紙トレイ指定ダイアログ
１４０，１５０  印刷用紙（裏面）
１４１、１５１  使用済表示
【図１】
2006044028.tif 000003
【図２】
2006044028.tif 000004
【図３】
2006044028.tif 000005
【図４】
2006044028.tif 000006
【図５】
2006044028.tif 000007
【図６】
2006044028.tif 000008
【図７】
2006044028.tif 000009
【図８】
2006044028.tif 000010